(57)【要約】【課題】撮像範囲内に設定される範囲等との関係で撮像内容を容易に認識することが可能な情報表示装置を提供する。【解決手段】ディスプレイ４と、予め設定された撮像範囲をカメラ１を用いて撮像して得られた撮像情報を取得し、撮像範囲に含まれる処理範囲を設定し、設定された処理範囲に対応する撮像情報に基づき、当該撮像情報の撮像内容に対応したグラフィックを生成し、生成されたグラフィックを、当該グラフィックが対応する撮像内容の撮像情報が対応する処理範囲に対応させてディスプレイ４に表示させる制御装置２と、を備える。【選択図】図１
2014225295.tif 000002
【特許請求の範囲】
【請求項１】
表示手段と、
移動体が移動する場所を含んで予め設定された撮像範囲を撮像手段を用いて撮像して得られた撮像情報を取得する取得手段と、
前記撮像範囲に含まれる処理範囲を設定する設定手段と、
前記設定された処理範囲に対応する前記撮像情報に基づき、前記移動体の数である移動体数を前記処理範囲ごとに検出し、当該検出された移動体数を示す移動体数情報を含む前記処理範囲ごとの副情報であって前記撮像情報の撮像内容に対応した副情報を生成する生成手段と、
前記生成された副情報を、当該副情報が対応する前記撮像内容の前記撮像情報が対応する前記処理範囲に対応させて、当該処理範囲ごとに、且つ、前記表示手段における当該処理範囲の表示位置に関連付けられた当該表示手段上の位置に表示させる表示制御手段と、
を備えることを特徴とする情報表示装置。
【請求項２】
請求項１に記載の情報表示装置において、
前記表示制御手段は、前記生成された副情報を、当該副情報が対応する前記撮像内容の前記撮像情報と共に前記表示手段に表示させることを特徴とする情報表示装置。
【請求項３】
請求項１又は請求項２に記載の情報表示装置において、
前記処理範囲のいずれかを前記表示手段上において選択するために用いられる選択手段を更に備え、
前記表示制御手段は、前記選択手段により選択された前記処理範囲に対応する前記副情報を前記表示手段に表示させることを特徴とする情報表示装置。
【請求項４】
表示手段を備えた情報表示装置に含まれるコンピュータを、請求項１から請求項３のいずれか一項に記載の前記取得手段、
前記設定手段、
前記生成手段、及び、
前記表示制御手段、
として機能させることを特徴とする情報表示用プログラム。
【発明の詳細な説明】
【技術分野】
【０００１】
本発明は、情報表示装置及び情報表示用プログラムの技術分野に属する。より詳細には、カメラ等の撮像装置を用いて撮像された撮像情報の内容を表示する情報表示装置及び当該情報表示に用いられる情報表示用プログラムの技術分野に属する。
【背景技術】
【０００２】
従来、例えば商店等内における顧客の移動態様を所定の時間撮像することで、例えばその店舗における効率的な商品展示を検討する際の検討材料とすることが行われている。このとき、その移動態様を撮像して得られる画像を表示する際には、その画像に対応する種々の文字情報等を併せて表示することも行われている。ここで、画像に対応する文字情報等をその画像と共に表示する技術としては、例えば下記特許文献１に開示されている技術がある。この特許文献１に開示されている技術では、撮像位置から見た被写体までの距離を示す距離情報に基づいて、夫々の被写体に対応する文字情報等の表示態様を変化させている。
【先行技術文献】
【特許文献】
【０００３】
【特許文献１】特開２００９−２３０４３１号公報（第２図乃至第６図及び第８図乃至第１１図等）
【発明の概要】
【発明が解決しようとする課題】
【０００４】
しかしながら、上記特許文献１に開示されている技術において被写体と共に表示される文字情報等自体の内容は任意なものであり、特許文献１に開示されている技術においては、被写体の状態や態様に応じて文字情報等の内容を変更することは考慮されていない。更に特許文献１に開示されている技術では、一枚の画像内に映し出されている被写体の夫々について対応する文字情報等を単に表示しているのみであり、その画像内の範囲や領域を考慮して被写体とそれに対応する文字情報等を表示するものではない。従って、特許文献１に開示されている技術を上述したような検討材料用の画像分析に適用しても、所望の分析結果を得ることができないという問題点がある。
【０００５】
そこで、本発明は上記の問題点に鑑みて為されたもので、その課題は、撮像範囲内に設定される範囲等との関係で撮像内容を容易に認識することが可能な情報表示装置及び当該情報表示に用いられる情報表示用プログラムを提供することにある。
【課題を解決するための手段】
【０００６】
上記の課題を解決するために、請求項１に記載の発明は、ディスプレイ等の表示手段と、移動体が移動する場所を含んで予め設定された撮像範囲をカメラ等の撮像手段を用いて撮像して得られた撮像情報を取得する取得手段と、前記撮像範囲に含まれる処理範囲を設定する制御装置等の設定手段と、前記設定された処理範囲に対応する前記撮像情報に基づき、前記移動体の数である移動体数を前記処理範囲ごとに検出し、当該検出された移動体数を示す移動体数情報を含む前記処理範囲ごとの副情報であって前記撮像情報の撮像内容に対応した副情報を生成する制御装置等の生成手段と、前記生成された副情報を、当該副情報が対応する前記撮像内容の前記撮像情報が対応する前記処理範囲に対応させて、当該処理範囲ごとに、且つ、前記表示手段における当該処理範囲の表示位置に関連付けられた当該表示手段上の位置に表示させる制御装置等の表示制御手段と、を備える。
【０００７】
請求項１に記載の発明によれば、撮像範囲に含まれる処理範囲に対応する撮像情報に基づいて生成された副情報を、それが対応する撮像内容の撮像情報が対応する処理範囲に対応させて表示させるので、処理範囲に対応する撮像情報の撮像内容を、副情報を用いて容易に認識可能に表示させることができる。
【０００８】
また、移動体が移動する場所を含む撮像範囲に対応する撮像情報に基づいて移動体数情報を含む副情報を処理範囲ごとに生成し、当該副情報を、当該副情報が対応する撮像内容の撮像情報が対応する処理範囲に対応させて、当該処理範囲ごとに、且つ、表示手段における当該処理範囲の表示位置に関連付けられた当該表示手段上の位置に表示させるので、撮像範囲内の処理範囲毎の移動体の通行数を容易に且つ処理範囲に関連付けて認識可能に表示させることができる。
【０００９】
上記の課題を解決するために、請求項２に記載の発明は、請求項１に情報表示装置において、前記表示制御手段は、前記生成された副情報を、当該副情報が対応する前記撮像内容の前記撮像情報と共に前記表示手段に表示させるように構成される。
【００１０】
請求項２に記載の発明によれば、請求項１に記載の発明の作用に加えて、副情報が対応する撮像内容の撮像情報と共にその副情報を表示手段に表示させるので、処理範囲に対応する撮像情報の撮像内容をより容易に認識可能に表示させることができる。
【００１１】
上記の課題を解決するために、請求項３に記載の発明は、請求項１又は請求項２に記載の情報表示装置において、前記処理範囲のいずれかを前記表示手段上において選択するために用いられる操作部等の選択手段を更に備え、前記表示制御手段は、前記選択手段により選択された前記処理範囲に対応する前記副情報を前記表示手段に表示させるように構成される。
【００１２】
請求項３に記載の発明によれば、請求項１又は請求項２に記載の発明の作用に加えて、選択手段により選択された処理範囲に対応する副情報を表示させるので、使用者の意図に沿った適切なタイミングで、副情報の表示が所望される処理範囲の当該副情報を認識可能に表示させることができる。
【００１３】
上記の課題を解決するために、請求項４に記載の発明は、表示手段を備えた情報表示装置に含まれるコンピュータを、請求項１から請求項３のいずれか一項に記載の前記取得手段、前記設定手段、前記生成手段、及び、前記表示制御手段、として機能させる。
【００１４】
請求項４に記載の発明によれば、撮像範囲に含まれる処理範囲に対応する撮像情報に基づいて生成された副情報を、それが対応する撮像内容の撮像情報が対応する処理範囲に対応させて表示させるようにコンピュータが機能するので、処理範囲に対応する撮像情報の撮像内容を、副情報を用いて容易に認識可能に表示させることができる。
【００１５】
また、移動体が移動する場所を含む撮像範囲に対応する撮像情報に基づいて移動体数情報を含む副情報を処理範囲ごとに生成し、当該副情報を、当該副情報が対応する撮像内容の撮像情報が対応する処理範囲に対応させて、当該処理範囲ごとに、且つ、表示手段における当該処理範囲の表示位置に関連付けられた当該表示手段上の位置に表示させるようにコンピュータが機能するので、撮像範囲内の処理範囲毎の移動体の通行数を容易に且つ処理範囲に関連付けて認識可能に表示させることができる。
【発明の効果】
【００１６】
本発明によれば、撮像範囲に含まれる処理範囲に対応する撮像情報に基づいて生成された副情報を、それが対応する撮像内容の撮像情報が対応する処理範囲に対応させて表示させるので、処理範囲に対応する撮像情報の撮像内容を、副情報を用いて容易に認識可能に表示させることができる。
【００１７】
また、移動体が移動する場所を含む撮像範囲に対応する撮像情報に基づいて移動体数情報を含む副情報を処理範囲ごとに生成し、当該副情報を、当該副情報が対応する撮像内容の撮像情報が対応する処理範囲に対応させて、当該処理範囲ごとに、且つ、表示手段における当該処理範囲の表示位置に関連付けられた当該表示手段上の位置に表示させるので、撮像範囲内の処理範囲毎の移動体の通行数を容易に且つ処理範囲に関連付けて認識可能に表示させることができる。
【００１８】
従って、処理範囲に対応した撮像内容の分析等に広く適用できる。
【図面の簡単な説明】
【００１９】
【図１】第１実施形態に係る情報表示装置の概要構成を示すブロック図である。
【図２】第１実施形態に係る制御装置の処理を示すフローチャートであり、（ａ）は全体処理を示すフローチャートであり、（ｂ）は初期設定処理の細部を示すフローチャートである。（ｃ）は動体数算出処理の細部を示すフローチャートであり、（ｄ）はグラフィック情報作成処理の細部を示すフローチャートである。
【図３】第１実施形態に係る表示例を示す図であり、（ａ）は第一の表示例を示す図であり、（ｂ）は第二の表示例を示す図である。
【図４】第２実施形態に係る制御装置の処理を示すフローチャートであり、（ａ）は全体処理を示すフローチャートであり、（ｂ）は初期設定処理の細部を示すフローチャートである。（ｃ）は進入判定処理の細部を示すフローチャートであり、（ｄ）はグラフィック情報作成処理の細部を示すフローチャートである。
【図５】第２実施形態に係る表示例等を示す図であり、（ａ）は表示領域における座標を例示する図であり、（ｂ）は表示例を示す図である。
【発明を実施するための形態】
【００２０】
次に、本発明を実施するための形態について、図面に基づいて説明する。なお、以下に説明する各実施形態は、例えば商店等内に設定された撮像範囲おける顧客の移動態様を撮像して表示する情報表示装置に対して本発明を適用した場合の実施の形態である。
【００２１】
（Ｉ）第１実施形態
始めに、本発明に係る第１実施形態について、図１乃至図３を用いて説明する。なお、図１は第１実施形態に係る情報表示装置の概要構成を示すブロック図であり、図２は情報表示装置に含まれる制御装置の処理を示すフローチャートであり、図３は第１実施形態に係る表示例を示す図である。
【００２２】
図１に示すように、第１実施形態に係る情報表示装置Ｓは、例えばＣＣＤ（Charge Coupled Device）等からなる撮像手段の一例としてのカメラ１と、具体的にはパーソナルコンピュータ等により実現される設定手段の一例、生成手段の一例、表示制御手段の一例、移動体数検出手段の一例及び移動態様検出手段の一例としての制御装置２と、例えば液晶ディスプレイ等からなる表示手段の一例としてのディスプレイ４と、例えばマウス及びキーボード等からなる選択手段の一例としての操作部５と、例えばハードディスク等からなるログ記録部３、グラフィック画像記録部６、解析結果記録部７及びグラフィック記録部８と、により構成されている。また制御装置２は、インターフェース２０と、画像処理部２１と、データ解析部２２と、グラフィック作成部２３と、により構成されている。なお上記画像処理部２１、データ解析部２２及びグラフィック作成部２３は、具体的には上記パーソナルコンピュータ等に含まれるＣＰＵが後述するフローチャートに対応するプログラムに基づいて動作することにより機能的に実現されるものである。またログ記録部３、グラフィック画像記録部６、解析結果記録部７及びグラフィック記録部８は、制御装置２とは別個の一つのサーバ装置内に備えられていても良い。
【００２３】
これらの構成においてカメラ１は、例えば店舗の内部全体がその撮像範囲となるように設置されている。そしてカメラ１は、当該店舗内等を往来する顧客や従業員等の人の状態をその設置位置から定点的に撮像して撮像情報を生成し、インターフェース２０に出力する。この撮像情報は、その撮像範囲を予め設定された時間撮像した動画像である。撮像範囲である店舗内等を往来する人は当該動画像内の動体として撮像される。この動体には、人以外に、当該店舗等内を移動する荷物や動物等が含まれ得る。次にインターフェース２０は、出力されてきた撮像情報に対して予め設定された入力処理を実行し、画像処理部２１に出力する。画像処理部２１は、出力されてきた撮像情報に含まれている各動体に対して動体検出処理及び動体追跡処理を行い、各動体ごとにログデータを生成してログ記録部３に出力する。
【００２４】
次に、画像処理部２１において実行される上記動体検出処理及び動体追跡処理について説明する。これらの処理はいずれも、従来の動体検出処理及び動体追跡処理と同様の処理である。動体検出処理では撮像範囲内を移動する動体が検出され、動体追跡処理ではその検出された動体を、その移動に伴って追跡する処理が実行される。
【００２５】
即ち、先ず画像処理部２１においては、上記撮像範囲の一部又は全体が監視領域として設定されている。この監視領域としての撮像範囲内の位置を示す監視領域座標並びにその監視領域の大きさを示す幅情報及び高さ情報は、監視領域情報として画像処理部２１内に予め設定されている。これにより画像処理部２１は、撮像範囲内を移動する動体を撮像情報から検出し、その動体を検出した時刻を示す時刻情報、その検出した動体の監視領域内における位置を示す座標情報及びその動体自体を他の動体から識別するための動体識別情報を生成する。これら生成された時刻情報、座標情報及び動体識別情報並びに上記監視領域情報は、ログデータとしてログ記録部３に出力されて不揮発性に記録される。更に画像処理部２１は、一旦検出した動体についてはその移動を追跡し、予め設定された時間間隔ごとに上記時刻情報、座標情報及び動体識別情報を生成し、これらと上記監視領域情報とを含む上記ログデータをその動体の移動に伴って継続的に生成／出力してログ記録部３に記録させる。なお監視領域から一旦出た後再度監視領域内に進入してきた動体は、動体自体としては同一であっても、動体検出処理等上は別個の動体として扱われる。以上の画像処理部２１による各処理により、撮像情報内に含まれている各動体の移動態様を示すログデータが、各動体ごとにログ記録部３に逐次蓄積される。
【００２６】
ログ記録部３は、画像処理部２１から出力されてきたログデータを逐次不揮発性に記録し、データ解析部２２からの要求に応じて当該データ解析部２２に出力する。次にデータ解析部２２は、カメラ１により撮像された画像の解析処理として、ログ記録部３から各ログデータを読み出し、カメラ１の撮像範囲内に予め設定されている後述の解析領域ごとに、当該解析領域内を移動する動体の数を検出する。その後データ解析部２２は、検出された動体の数を示す動体数情報と、その動体がその解析領域内を移動した時刻を示す時刻情報と、を含む動体情報を生成して、一時的に制御装置２内の図示しないメモリ内に記憶させる。この動体情報は、後ほどグラフィック作成部２３からの要求に応じて当該グラフィック作成部２３に出力される。動体情報に含まれる動体数情報は、動体が人である場合には各解析領域内を通行した人の数を示す。ここで上記解析領域とは、上記監視領域を予め設定された数の領域に例えば等分に分けたその一つの領域を指し、動体の移動数を検出する際の基準となる領域である。この解析領域が本発明に係る「処理範囲」の一例に相当する。
【００２７】
グラフィック作成部２３は、データ解析部２２から出力されてきた動体情報に基づいて、各解析領域に相当する撮像情報としての画像及びその解析領域に対応した動体情報の内容をディスプレイ４上に表示するための画像情報を生成する。具体的にグラフィック作成部２３は、各解析領域に対応する動体情報の内容をそれが対応する解析領域のディスプレイ４上の表示位置に対応させて表示させるためのグラフィック情報を生成する。このグラフィック情報は、例えばいわゆる「吹き出し」のようなグラフィック画像を用いて、上記動体情報の内容をそれが対応する解析領域のディスプレイ４上の表示位置に対応させて表示させるための情報（グラフィックデータ）である。このグラフィック画像はグラフィック画像記録部６に予め記憶／蓄積されており、グラフィック作成部２３は必要なグラフィック画像をグラフィック画像記録部６から読み出して上記グラフィック情報を各解析領域ごとに作成する。またデータ解析部２２から出力されてきた動体情報は、解析領域ごとの解析結果としてグラフィック作成部２３を介して解析結果記録部７に記憶／蓄積される。更にグラフィック作成部２３により作成されたグラフィック情報は、それに対応する動体情報と共にグラフィック記録部８に記録される。
【００２８】
その後グラフィック作成部２３は、解析結果記録部７に記録されている解析結果としての動体情報をディスプレイ４上に表示させる旨が操作部５における使用者の操作により指示されたら、当該動体情報を含むグラフィック情報をグラフィック記録部８から読み出す。その後グラフィック作成部２３は、読み出したグラフィック情報に含まれる動体情報に対応する解析領域に含まれる画像（カメラ１により撮像された画像そのもの）と共に、その解析領域のディスプレイ４上の表示位置に対応させて、その動体情報を含むグラフィック情報に相当するグラフィックを表示させる。具体的にグラフィック作成部２３は、ディスプレイ４上のある解析領域が、例えばその解析領域のディスプレイ４上の表示位置に操作部５内のマウス操作に対応してマウスポインタが置かれることにより選択されたら、その解析領域に含まれる画像と共に、その解析領域のディスプレイ４上の表示位置の近傍にそれに対応する動体情報を含むグラフィック情報に相当するグラフィックを表示させる。なおグラフィック作成部２３は、動体情報に含まれる動体数情報により示される動体数に対応させて、その動体情報が対応する解析領域のディスプレイ４上の表示態様（表示色又は強調表示の態様等）を変えるようにしてもよい。
【００２９】
次に、第１実施形態に係る制御装置２における処理について、より具体的に図２及び図３を用いて説明する。なお、図２及び図３では、第１実施形態の特徴点である制御装置２のデータ解析部２２及ぶグラフィック作成部２３における処理について説明する。
【００３０】
図２（ａ）に示すように、第１実施形態に係る制御装置２のデータ解析部２２は、ログ記録部３からログデータを取得すると（ステップＳ１）、カメラ１により撮像された画像の解析処理を行うための初期設定を実行する（ステップＳ２）。この初期設定においては、図２（ｂ）に示すように、当該解析処理を行うための単位時間として、その解析処理を開始するログデータの時刻とそれを終了するログデータの時刻とが操作部５により指定され（ステップＳ２０）、更に動体数を解析するための上記解析領域の数が操作部５により指定される（ステップＳ２１）。次に、上記動体情報を表示させる際にいずれのグラフィック画像を用いるかの指定が、同じく操作部５により行われる（ステップＳ２２）。このステップＳ２２における指定は、グラフィック画像記録部６に記録されている、上記「吹き出し」を含む種々のグラフィック画像（動体情報を表示するための表示枠或いは強調表示として用いられるグラフィック画像）のうち、いずれのグラフィック画像を用いるか、の指定である。
【００３１】
ステップＳ２において初期設定が完了すると、次にデータ解析部２２は、各解析領域ごとに、その中を移動する動体数を算出する（ステップＳ３）。この動体数算出においてデータ解析部２２は、図２（ｃ）に示すように、先ずステップＳ２０において指定された単位時間内のログデータをログ記録部３から取得する（ステップＳ３０）。このログデータには、上述したように動体を検出した時刻を示す時刻情報、その検出した動体の監視領域内における位置を示す座標情報及びその動体自体を他の動体から識別するための動体識別情報並びに上記監視領域情報が含まれている。次にデータ解析部２２は、後述するステップＳ３２の動体数算出処理がステップＳ２１において指定された解析領域の数だけ実行されたか否かを確認する（ステップＳ３１）。ステップＳ３１において解析領域の数だけ動体数算出処理が実行されていたら（ステップＳ３１；ＹＥＳ）、データ解析部２２は各解析領域ごとの動体数を解析結果として一時的に上記メモリ内に記憶させる（ステップＳ３３）。一方ステップＳ３１において解析領域の数だけ動体数算出処理が実行されていない場合（ステップＳ３１；ＮＯ）、データ解析部２２は、動体数算出処理が実行されていない解析領域を一つ選択し、その解析領域の監視領域内の座標と移動が検出されている動体の位置座標とから、その解析領域を移動した動体の数を、動体識別情報ごとに算出する（ステップＳ３２）。なおこのステップＳ３２における動体数算出処理自体は、従来と同様の方法によりその解析領域を移動した動体の数を動体識別情報ごとに算出するものである。その後データ解析部２２は、上記ステップＳ３１に移行する。
【００３２】
ステップＳ３において動体数が各解析領域ごとに算出できたら、次にグラフィック作成部２３は、ディスプレイ４上に表示させるための上記グラフィック情報の作成を行う（ステップＳ４）。このグラフィック情報作成においてグラフィック作成部２３は、図２（ｄ）に示すように、グラフィックの表示に用いられるグラフィック画像としてステップＳ２２において指定されたグラフィック画像をグラフィック画像記録部６から取得する（ステップＳ４０）。次にグラフィック作成部２３は、後述するステップＳ４２乃至Ｓ４４がステップＳ２１において指定された解析領域の数だけ実行されたか否かを確認する（ステップＳ４１）。ステップＳ４１において解析領域の数だけ各処理が実行されていたら（ステップＳ４１；ＹＥＳ）、グラフィック作成部２３は後述するステップＳ５の動作に移行する。一方ステップＳ４１において解析領域の数だけ各処理が実行されていない場合（ステップＳ４１；ＮＯ）、グラフィック作成部２３は、当該各処理が実行されていない解析領域を一つ選択し、その解析領域についての上記動体情報に対応したテキスト情報をコメントとして作成し（ステップＳ４２）、更にその作成したテキスト情報をコメントとしてステップＳ４０で取得されているグラフィック画像内に挿入する（ステップＳ４３）。このグラフィックの一部として表示されるコメントが、本発明に係る「副情報」の一例に相当する。次にグラフィック作成部２３は、その時にステップＳ４２及びＳ４３の対象となっている解析領域の監視領域内の座標をステップＳ４３においてコメントが挿入されたグラフィック画像の表示座標として設定する（ステップＳ４４）。その後グラフィック作成部２３は、上記ステップＳ４１に移行する。
【００３３】
次に図２（ａ）に戻ってグラフィック作成部２３は、ステップＳ３３において一時的に記憶されていた解析結果を解析結果記録部７に記録し（ステップＳ５）、更にステップＳ４において作成されたグラフィック情報をグラフィック記録部８に記録し（ステップＳ６）、更にカメラ１において撮像された撮像情報のうち、上記監視領域に対応する撮像情報に相当する画像をディスプレイ４上に表示させる（ステップＳ７）。
【００３４】
次にグラフィック作成部２３は、第１実施形態に係る制御装置２における処理を終了する旨の操作が操作部５において実行されたか否かを確認する（ステップＳ８）。ステップＳ８において当該終了する旨の操作が実行された場合（ステップＳ８；ＹＥＳ）、制御装置２は第１実施形態に係る処理を終了する。一方ステップ８において、当該終了する旨の操作が実行されていない場合（ステップＳ８；ＮＯ）、グラフィック作成部２３は次に、撮像情報に対応する画像をディスプレイ４上に表示している状態において、いずれかの解析領域に相当する位置にマウスポインタが検出されたか否かを確認する（ステップＳ９）。ステップＳ９においてマウスポインタがいずれの位置にも検出されないとき（ステップＳ９；ＮＯ）、グラフィック作成部２３は上記ステップＳ８に移行する。一方ステップＳ９においていずれかの位置にマウスポインタが検出された場合（ステップＳ９；ＹＥＳ）、グラフィック作成部２３は、その位置に対応する解析領域が使用者により選択されているとして、その位置に対応する表示位置（上記ステップＳ４４において設定された位置）に、その解析領域に対応するグラフィック情報に相当するグラフィックを表示する（ステップＳ１０）。このグラフィック情報は、ステップＳ１０の処理の都度、グラフィック記録部８から読み出されるものである。その後グラフィック作成部２３は、上記ステップＳ８に移行する。
【００３５】
以上説明した第１実施形態に係る制御装置２としての処理が実行された場合、例えば図３（ａ）に例示するように、ディスプレイ４上に表示されている監視領域ＰＡに相当する画像上に複数の解析領域ＡＲが設定されており、このうちのマウスポインタＣが置かれている位置の解析領域ＡＲに対応するグラフィックＧが例えばポップアップ的に表示されることになる。このグラフィックＧ内には、それに対応する動体情報が図３（ａ）に例示するよう含まれる。なお図３（ｂ）に例示するように、図３（ａ）に例示する表示に加えて、グラフィックＧ内に表示される動体情報（コメント）のみを、グラフィックＧとは別のサブ領域ＳＢ内に表示するように構成しても良い。このとき、マウスポインタＣが他の解析領域ＡＲの位置に移動された場合、グラフィックＧ及びサブ領域ＳＢ内の表示は消去される。また図３に例示するように、グラフィックＧを表示するのに加えてグラフィック作成部２３は、各解析領域ＡＲごとの動体数に対応させて、その解析領域ＡＲのディスプレイ４上の表示態様（表示色又は強調表示の態様等）を変えるようにしてもよい。
【００３６】
以上説明したように、第１実施形態の情報表示装置Ｓの処理によれば、図３に例示するように、撮像範囲に含まれる解析領域ＡＲに対応する撮像情報に基づいて生成されたグラフィックＧを、それが対応する解析領域ＡＲに対応させて表示するので、解析領域ＡＲに対応する撮像内容をグラフィックＧを用いて容易に認識可能に表示することができる。
【００３７】
また、グラフィックＧが対応する撮像内容と共にそのグラフィックＧが表示されるので、解析領域ＡＲに対応する撮像内容をより容易に認識可能に表示することができる。
【００３８】
更に、動体が移動する場所を含む撮像範囲に対応する撮像情報に基づいて動体数情報を含むグラフィックＧを解析領域ＡＲごとに生成して表示するので、撮像範囲内の解析領域ＡＲ毎の動体数を容易に認識可能に表示することができる。
【００３９】
更にまた、異なる動体数を示す動体数情報を含むグラフィックＧが対応する解析領域ＡＲ同士を、当該異なる動体数に対応した異なる表示態様にて表示する場合には、ある動体数に対応する解析領域ＡＲを、その動体数と異なる動体数に対応する他の解析領域ＡＲと区別して認識可能に表示することができる。
【００４０】
また、マウス等により選択された解析領域ＡＲに相当に対応するグラフィックＧを表示させるので、使用者の意図に沿った適切なタイミングで、グラフィックＧの表示が所望される解析領域ＡＲの当該グラフィックＧを認識可能に表示することができる。
【００４１】
なお、各解析領域ＡＲに対応するグラフィックＧを夫々に表示している場合において、マウスポインタＣにより選択された解析領域ＡＲに対応するグラフィックＧを表示する場合、当該マウスポインタＣにより選択された解析領域ＡＲに対応するグラフィックＧを他の解析領域ＡＲに対応するグラフィックＧに対して強調表示するように構成することもできる。具体的に例えば、マウスポインタＣにより選択された解析領域ＡＲに対応するグラフィックＧ自体の大きさを他のグラフィックＧに比べて大きくしたり、色を変えたり、或いはそれに含まれる文字の太さを変えたりする等の強調表示が考えられる。この場合には、選択された解析領域ＡＲに対応するグラフィックＧを、他の解析領域ＡＲに対応するグラフィックＧよりも強調して表示させるので、グラフィックＧの表示が所望される解析領域ＡＲの当該グラフィックＧを容易に認識可能に表示することができる。
【００４２】
なおグラフィックＧ内にコメントとして表示させるテキスト情報としては、上記の他に、例えば、動体数に基づくレベル分けの状況（「多い」／「少ない」等）や解析領域ＡＲごとの動体数が集中した時間帯を含ませても良い。
【００４３】
（II）第２実施形態
次に、本発明に係る他の実施形態である第２実施形態について、図４及び図５を用いて説明する。なお、図４は第２実施形態に係る制御装置の処理を示すフローチャートであり、図５は第２実施形態に係る表示例等を示す図である。
【００４４】
上述した第１実施形態に係る解析処理においては、解析領域ＡＲ毎の動体情報をグラフィックＧとして例えばポップアップ的に表示する場合について説明したが、以下に説明する第２実施形態に係る解析処理では、監視領域内を移動する動体の動線を検出してそれに関連する情報を表示する。なお、第２実施形態に係る情報表示装置のハードウエア的な構成は、基本的には第１実施形態に係る情報処理装置Ｓと同一であるので、以下の説明では、第１実施形態に係る情報処理装置Ｓの部材番号を引用して第２実施形態に係る情報処理装置の動作を説明する。また、図４に示すフローチャートにおいて、図２に示した第１実施形態に係る情報表示装置Ｓの処理と同一の処理については、同一のステップ番号を付して細部の説明は省略する。更に以下の説明では、第２実施形態の特徴点である制御装置２のデータ解析部２２及ぶグラフィック作成部２３における処理について説明する。また、第２実施形態に係る解析処理では、第１実施形態に係る解析処理において検出した動体数は、検出されない。従って、第２実施形態に係るグラフィック内に表示される動体情報には、動体数は含まれない。
【００４５】
図４（ａ）に示すように、第２実施形態に係る制御装置２のデータ解析部２２は、ログ記録部３からログデータを取得すると（ステップＳ１）、第２実施形態に係る解析処理を行うための初期設定を実行する（ステップＳ１０）。この初期設定においては、図４（ｂ）に示すように、第１実施形態に係るステップＳ２０と同様の単位時間指定処理を実行した後、更に動体の動線を解析するための指定領域が操作部５により指定される（ステップＳ２５）。第２実施形態に係る当該指定領域は、上記監視領域内のある閉じた領域であって、その領域に出入りする動体の移動態様が第２実施形態に係る解析処理の対象となる領域である。この指定領域が本発明に係る「処理範囲」の一例に相当する。その後データ解析部２２は、第１実施形態に係るステップＳ２２と同様のグラフィック画像指定処理を実行する。
【００４６】
ステップＳ１０において初期設定が完了すると、次にデータ解析部２２は、ステップＳ２０において指定された単位時間内のログデータをログ記録部３から取得する（ステップＳ１１）。次にデータ解析部２２は、後述するステップＳ１３、Ｓ１４、Ｓ５、Ｓ６及びＳ１５の各処理がステップＳ１１において取得した各ログデータの全てについて実行されたか否かを確認する（ステップＳ１２）。ステップＳ１２において全てのログデータについて各処理が実行されていたら（ステップＳ１２；ＹＥＳ）、データ解析部２２は第２実施形態に係る解析処理を終了する。一方ステップＳ１２において全てのログデータについて各処理が実行されていない場合（ステップＳ１２；ＮＯ）、次にデータ解析部２２は、ステップＳ２５において指定されていた指定領域に、ステップＳ１１において取得したログデータに対応する動体が進入したか否かの進入判定を行う（ステップＳ１３）。この進入判定においてデータ解析部２２は、図４（ｃ）に示すように、先ず当該指定領域にいずれかの動体が入ったか否かを検出し（ステップＳ１３０）、いずれの動体も入っていない場合（ステップＳ１３０；ＮＯ）、その旨を解析結果として一時的に上記メモリに記憶させる（ステップＳ１３３）。一方ステップＳ１３０においていずれかの動体が指定領域に入っていた場合（ステップＳ１３０；ＹＥＳ）、データ解析部２２はその進入している動体についてのログデータから、その進入した時刻を取得する（ステップＳ１３１）。次にデータ解析部２２は、指定領域への進入方向及びその時のその動体の移動方向を算出する（ステップＳ１３２）。このステップＳ１３２においては、図５（ａ）に例示するように、向かって左上を原点として監視領域内に幅１００ドット、高さ５０ドットに設定された（ステップＳ２５参照）指定領域ＤＡについて、先ず動体Ｍの中心ＣＴと指定領域ＤＡの四つの辺との距離（図５（ａ）において符号「Ｌｘ１」、「Ｌｘ２」、「Ｌｙ１」及び「Ｌｙ２」で示される距離）が算出される。次にデータ解析部２２は、算出された各辺までの距離のうち、最も短い距離（図５（ａ）に例示する場合は、符号「Ｌｙ２」で示される距離）を抽出し、その距離の辺の方向を進入方向とする。図５（ａ）の場合、進入方向は「上から」と算出される。また動体の移動方向については、時系列的に取得されるログデータに含まれているその動体の上記座標情報の変化に基づき、従来と同様の方法により検出される。その後データ解析部２２は、ステップＳ１３２において算出した進入方向及び移動方向を、その動体についての解析結果として一時的に上記メモリ内に記憶させる（ステップＳ１３３）。
【００４７】
ステップＳ１３において進入判定が行われたら、次にグラフィック作成部２３は、ステップＳ１４のグラフィック情報作成処理として、第１実施形態に係るステップＳ４０、Ｓ４２、Ｓ４３及びＳ４４の各処理と同様の処理を、上記ステップＳ１３における進入判定の結果としての進入方向及び移動方向を用いて各動体ごとに行う。この場合、第１実施形態に係るステップＳ４１の処理と同様の処理は行われない。また上述したように、第２実施形態に係る動体情報には、第１実施形態に係る動体数情報は含まれず、これに代えて、進入方向を示す情報及び指定領域ＤＡに侵入した時刻等（図５（ｂ）参照）が含まれる。なお、第２実施形態に係る動体情報として、指定領域ＤＡへの進入方向及びその動体の移動方向に加えて、その動体が指定領域ＤＡ内に滞在していた時間を含ませてもよい。この場合、上記ステップＳ１３２及びＳ１３３においてデータ解析部２２は、指定領域ＤＡへの進入方向及びその時のその動体の移動方向に加えて、その動体に対応するログデータを参照して、当該動体の指定領域ＤＡ内への進入時刻からの指定領域ＤＡ内における滞在時間を算出し、その結果を動体情報に含む解析結果を一時的に上記メモリに記憶させる。この滞在時間の算出処理は、その動体が指定領域ＤＡ内に滞在中は継続して実行される。
【００４８】
次に図４（ａ）に戻ってグラフィック作成部２３は、ステップＳ１３３において一時的に記憶されていた解析結果を解析結果記録部７に記録し（ステップＳ５）、更にステップＳ１４において作成されたグラフィック情報をグラフィック記録部８に記録し（ステップＳ６）、更にその記録したグラフィック情報に相当するグラフィックをディスプレイ４上に表示させる（ステップＳ１５）。その後グラフィック作成部２３は、上記ステップＳ１２に移行して、次のログデータについて上記ステップＳ１２乃至Ｓ１５並びにＳ５及びＳ６の処理を実行する。即ち、ステップＳ１２乃至Ｓ１５並びにＳ５及びＳ６の処理は、各ログデータに基づいて時系列的に繰り返されることになる。
【００４９】
以上説明した第２実施形態に係る制御装置２としての処理が実行された場合、例えば図５（ｂ）に例示するように、ディスプレイ４上に表示されている監視領域ＰＡに相当する画像上に指定領域ＤＡが表示されており、それに進入する（又は進入した）動体Ｍ１乃至Ｍ３夫々の動線Ｌ１乃至Ｌ３が、その指定領域ＤＡに対応して表示される。また、各動体Ｍ１乃至Ｍ３の指定領域ＤＡに対する進入方向等を含む動体情報を含むグラフィックＧ１乃至Ｇ３が、例えば動体Ｍ１乃至Ｍ３夫々の指定領域ＤＡに対する進入位置に表示される。このとき、各動体Ｍ１乃至Ｍ３夫々の色等の表示態様を相互に異ならせるように構成することもできる。なお、上述した指定領域ＤＡ内における滞在時間を動体情報としてグラフィック内に含ませる場合、各グラフィックＧ１乃至Ｇ３内には、各動体Ｍ１乃至Ｍ３の指定領域ＤＡに対する進入方向等に加えて、上記滞在時間を示す時間情報を含む動体情報が含まれることとなる。
【００５０】
以上説明したように、第２実施形態の情報表示装置Ｓの処理によれば、図５（ｂ）に例示するように、撮像情報に基づいて生成されたグラフィックＧ１乃至Ｇ３を、それが対応する指定領域ＤＡに対応させて表示するので、指定領域ＤＡに対応する撮像内容をグラフィックＧ１乃至Ｇ３を用いて容易に認識可能に表示することができる。
【００５１】
また、グラフィックＧ１乃至Ｇ３が対応する撮像内容と共にそのグラフィックＧ１乃至Ｇ３が表示されるので、指定領域ＤＡに対応する撮像内容をより容易に認識可能に表示することができる。
【００５２】
更に、動体が移動する場所を含む撮像範囲に対応する撮像情報に基づいて動線Ｌ１乃至Ｌ３及びグラフィックＧ１乃至Ｇ３を生成して時系列的に表示させるので、撮像範囲内の動体Ｍ１乃至Ｍ３の移動態様を時系列に沿って容易に認識可能に表示することができる。
【００５３】
更にまた、指定領域ＤＡの縁に動体が到達したことが検出されたとき、当該到達した動体の移動態様を示す動線Ｌ１乃至Ｌ３及びグラフィックＧ１乃至Ｇ３を時系列的に表示させるので、設定された指定領域ＤＡに対する動体の移動態様を容易に認識可能に表示することができる。
【００５４】
また、動体の移動方向又は指定領域ＤＡに対する進入方向の少なくともいずれか一つを示す動線Ｌ１乃至Ｌ３及びグラフィックＧ１乃至Ｇ３を生成して時系列的に表示させるので、動体の移動方向等を具体的に認識可能に表示することができる。
【００５５】
なお、上記動線Ｌ１乃至Ｌ３及びグラフィックＧ１乃至Ｇ３と共に撮像情報に対応する画像を表示する場合、生の画像ではなくそれを例えばイラスト等に置換して表示することにより、その画像に写っている人のプライバシーを保護するように構成することもできる。
【００５６】
また、図３及び図４に示したフローチャートに対応するプログラムをフレキシブルディスク又はハードディスク等の記録媒体に記録しておき、或いはインターネット等のネットワークを介して取得して記録しておき、これらを汎用のマイクロコンピュータ等により読み出して実行することにより、当該マイクロコンピュータ等を実施形態に係るデータ解析部２２及びグラフィック作成部２３として機能させることも可能である。
【産業上の利用可能性】
【００５７】
以上夫々説明したように、本発明は情報表示装置の分野に利用することが可能であり、特にカメラで撮像された画像を用いた画像解析及びその解析結果の表示の分野に適用すれば特に顕著な効果が得られる。
【符号の説明】
【００５８】
１    カメラ
２    制御装置
３    ログ記録部
４    ディスプレイ
５    操作部
６    グラフィック画像記録部
７    解析結果記録部
８    グラフィック記録部
２０    インターフェース
２１    画像処理部
２２    データ解析部
２３    グラフィック作成部
Ｓ    情報表示装置
Ｃ    マウスポインタ
ＰＡ    監視領域
ＡＲ    解析領域
ＳＢ    サブ領域
Ｇ、Ｇ１、Ｇ２、Ｇ３    グラフィック
Ｌ１、Ｌ２、Ｌ３    動線
Ｍ、Ｍ１、Ｍ２、Ｍ３    動体
ＣＴ    中心
ＤＡ    指定領域
【図１】
2014225295.tif 000003
【図２】
2014225295.tif 000004
【図３】
2014225295.tif 000005
【図４】
2014225295.tif 000006
【図５】
2014225295.tif 000007